(57)【特許請求の範囲】
【請求項１】
レンズであって、
アイポイントを含む高透光性領域と、
前記高透光性領域の全周を囲むように設けられ、前記高透光性領域よりも遮光率の高い低透光性領域と、を有し、
前記低透光性領域は、前記高透光性領域から前記レンズの周辺に向かって遮光率が変化する領域を含み、かつ波長７６０〜１３００ｎｍの光の遮光率が高い領域を含む、
レンズ。
【請求項２】
レンズであって、
アイポイントを含む高透光性領域と、
前記高透光性領域の全周を囲むように設けられ、前記高透光性領域よりも遮光率の高い低透光性領域と、を有し、
前記低透光性領域は、前記高透光性領域から前記レンズの周辺に向かって遮光率が変化する領域を含み、かつ波長３１０〜４００ｎｍの光の遮光率が高い領域を含む、
レンズ。
【請求項３】
請求項１または２において、
前記遮光率が変化する領域は、前記レンズの周辺に向かって遮光率が増加する領域を含む、
レンズ。
【請求項４】
請求項１〜３のいずれか１項において、
前記高透光性領域と前記低透光性領域との境界は、視野角が２０度よりも狭く１０度以上の範囲にあり、かつ、
前記高透光性領域は全遮光率が０〜１０％の領域を含む、レンズ。
【請求項５】
請求項１〜４のいずれか１項において、
前記低透光性領域は、第１の低透光性領域と、前記第１の低透光性領域の全周を囲むように設けられ、前記第１の低透光性領域よりも遮光率の高い第２の低透光性領域と、
を含む、
レンズ。
【請求項６】
請求項１〜５のいずれか１項において、比較的遠くを見るための遠用領域と、比較的近くを見るための近用領域と、前記遠用領域と前記近用領域との間にあって屈折力が連続的に変化する領域とをさらに有し、前記アイポイントは、前記遠用領域の中心である、レンズ。
【請求項７】
請求項１〜６のいずれか１項において、
前記レンズの一方の面に形成され、前記高透光性領域の遮光率および前記低透光性領域の遮光率を変化させる調光層と、
前記レンズの他方の面に形成され、前記高透光性領域に対して前記低透光性領域の遮光率を高くする遮光層と、
を有する、
レンズ。
【発明の詳細な説明】
【技術分野】
【０００１】
本発明は、眼鏡レンズに関するものである。
【背景技術】
【０００２】
特許文献１には、眼鏡のレンズ中央部の光の透過率を高くし、その周辺部の光の透過率
を低くすることが記載されている。そのために、レンズ部の前面に半透鏡を形成するミラ
ーコートを設け、レンズ部の後面に、透孔を有するプレートを装着することが記載されて
いる。この眼鏡の場合、眼鏡のレンズ部分の中央は光の透過率が高いため、人はこのレン
ズ中央の透過率が高い部分を通して物を比較的はっきり見ることができ、一方、上記レン
ズ周辺部の低透過率部分によって眼に入る光量を減らすことができ、眼を光から保護する
ことに有効であるとともに、眼が白内障にかかっている場合には、水晶体周辺部での光の
乱反射を減らして物を見え易くすることが記載されている。
【先行技術文献】
【特許文献】
【０００３】
【特許文献１】特開平１０−８２９７５号公報（要約書、段落番号０００９）
【発明の概要】
【発明が解決しようとする課題】
【０００４】
近年、サングラスを含む眼鏡は、視力の矯正および眼球の保護という役割に加え、ある
いはそれとは別に、着用者の装身具あるいは装飾具の１つとしての価値が求められている
。すなわち、装身具としての価値、たとえば、ファッション性や、装飾性が認められなけ
れば、たとえ機能的に優れていたとしても、そのような眼鏡は身体機能をフォローするた
めの道具にすぎず、ユーザーが日常的に使いやすいものであるとはいえない。
【０００５】
さらに、特定の機能障害をフォローするためだけに利用できる道具であって、そのよう
な機能障害を持たないユーザーにとって使いにくい道具であれば、市場性は少なく、高コ
ストとなり、そのような道具を必要としているユーザーにとって購入しがたい道具でしか
ない。
【課題を解決するための手段】
【０００６】
本発明の一態様は、アイポイント（眼鏡を掛けたときの目の位置、瞳孔中心位置、フィ
ッティングポイント）を含む高透光性領域と、高透光性領域の全周を囲むように設けられ
た低透光性領域であって、高透光性領域よりも遮光率の高い低透光性領域とを有し、眼の
前方を覆うレンズである。さらに、このレンズの低透光性領域は、周辺に向かって遮光率
が変化する領域を含む。
【０００７】
このレンズは、高透光性領域の全周を囲むように、周辺に向かって遮光率が変化する領
域（グラディエント領域）が設けられており、ドーナッツ状あるいは環状に遮光率が変化
する、新しいデザインの、ファッション性の高いレンズを提供できる。すなわち、遮光率
の変化をレンズの色の濃度（濃淡）の変化、反射率（透過率）の変化、微細模様などによ
り実現される開口率の変化などの外から目に見える変化としてレンズに付与でき、ドーナ
ッツ状あるいは環状の色などの変化を備えたレンズは新しい装飾性を持った、ファッショ
ン性に富んだレンズとして認識される。さらに、このレンズは、高透光性領域と、その高
透光性領域の全周を囲むように設けられた、グラディエント領域を含む低透光性領域を有
する。したがって、白内障などの障害があり、高透光性領域の全周を囲むように設けられ
た低透光性領域を有する眼鏡により機能を補助することが望ましいユーザーに限らず、一
般のユーザーが装飾具の１つとして、このレンズを備えた眼鏡を装着できる。
【０００８】
また、このレンズは、高透光性領域の全周を囲むように設けられた低透光性領域を有し
、さらに、周辺に向かって遮光率が変化する領域を有する。したがって、高透光性領域に
限らず、低透光性領域の周辺に向かって遮光率が変化する領域を介して装着者は外部を見
ることができ、レンズの面積に対して視野角が極端に狭くなることを抑制できる。また、
周辺に向かって遮光率が変化する領域の広さ、遮光率の変化率を制御することにより、レ
ンズの面積に対して確保できる視野角を制御できる。このため、このレンズは、視力の矯
正および眼球の保護という機能が要望されるユーザーに有用であるとともに、一般のユー
ザーも単に装飾具の１つとして装着でき、自由度が高いとともに、安全性も高い。したが
って、高透光性領域の全周を囲むように設けられた低透光性領域を有し、眼に入る光量を
減らし、眼を保護するのに有効であるとともに、ユニバーサルデザイン化されたレンズを
提供できる。
【０００９】
低透光性領域が含む周辺に向かって遮光率が変化する領域の典型的なものは、周辺に向
かって遮光率が増加する領域である。高透光性領域と低透光性領域との間に明確な境界が
生じることを抑制できるので、さらにファッション性に富んだレンズを提供できる。また
、高透光性領域と低透光性領域との間に明確な境界があることにより視野に違和感が生ず
ることを防止できる。したがって、一般のユーザーや障害を持つユーザーがさらに気軽に
使用できるレンズを提供できる。
【００１０】
このレンズにおいては、高透光性領域は、視野角が少なくとも１０度で、全遮光率が０
〜９５％の領域を含むことが望ましい。弁別視のときに頭部の動きが伴わない領域（弁別
視の際の眼球の運動領域）は視野角が約１０度の領域とされており、その範囲を低透光性
領域より明るい高透光性領域として確保することにより、ユーザーが使用する上で違和感
が少なく、使い方の相違も少ない、ユニバーサルデザイン化にさらに適したレンズを提供
できる。
【００１１】
このレンズにおいては、高透光性領域は、視野角が２０度よりも狭く、全遮光率が０〜
９５％の領域を含むことが望ましい。視野角が２０度よりも広いグレアはソフトなグレア
光（障害グレア光、減能グレア光）であり、視野角の小さな領域の不快なグレア光（不快
グレア光）と異なり、グレア光の侵入を避けなくても、そのグレア光を抑制することによ
り作業効率の低下を抑制できる。したがって、高透光性領域の範囲は視野角２０度までと
し、視野角が２０度よりも広い領域は低透光性領域として作業の障害となりやすいグレア
光が眼に入るのを抑制することが望ましい。
【００１２】
さらに、このレンズにおいては、低透光性領域は、第１の低透光性領域と、第１の低透
光性領域の全周を囲むように設けられた第２の低透光性領域であって、第１の低透光性領
域よりも遮光率の高い第２の低透光性領域とを含むことが望ましい。障害グレア光の侵入
を抑制する低透光性領域を、指標（対象物）を大まかに認識するいわゆる自由視を優先し
た第１の領域と、グレア光の阻止を優先した第２の領域とを含む多段階に設定することに
より、グレア光の影響を抑制し、コントラスト感度（見え方の質、視覚の質）のさらなる
向上を図ることができる。第１の低透光性領域は、視野角が３０度よりも狭く、全遮光率
が０〜９５％の領域を含むことが望ましい。さらに、遮光率の異なる多段階の領域を設け
ることにより、低透光性領域でレンズの色を変化させたり、反射率を変化させることが可
能となり、より一層ファッション性を高めたり、装飾品として価値の高いレンズを提供で
きる。
【００１３】
このレンズにおいては、低透光性領域は、近赤外光、すなわち、波長７６０〜１３００
ｎｍの光の遮光率が高い領域を含むことが望ましい。網膜疾患、脈絡膜疾患の症状のある
ユーザーには特にこの周波数帯のグレア光を抑制することにより弁別能力の向上を図り、
作業能率の低下を抑制できる。
【００１４】
また、このレンズにおいては、低透光性領域は、近紫外光、すなわち、波長３１０〜４
００ｎｍの光の遮光率が高い領域を含むことも有効である。角膜炎、白内障、緑内障など
の症状のあるユーザーには特にこの周波数帯のグレア光を抑制することにより弁別能力の
向上を図り、作業能率の低下を抑制できる。視野を確保しながら近赤外光および／または
近紫外光を抑制することは、これらの眼の障害の発生を予防するためにも有効であり、こ
れらの障害の症状のないユーザーにおいても本発明のレンズは有用である。
【００１５】
本発明のレンズは、比較的遠くを見るための遠用領域と、比較的近くを見るための近用
領域と、遠用領域と近用領域との間にあって屈折力が連続的に変化する中間領域とをさら
に有する累進屈折力レンズであってもよい。累進屈折力レンズにおいては、高透光性領域
の中心であるアイポイントは、遠用領域の中心であることが望ましい。このため、障害グ
レア光の影響を遠用領域で削減することが弁別能力の向上につながりやすい。また、屈折
力が連続的に変化する累進屈折力レンズの遠用中心をアイポイントとするファッション性
に富んだレンズを提供できる。
【００１６】
このレンズにおいては、低透光性領域は、当該レンズの少なくとも一部が染色された領
域を含むものであっても良い。染色は、低透光性領域の遮光率を高くするための方法の１
つであり、個々のレンズによって色を変えたり、遮光率により１つのレンズに多色を導入
することなどにより、さらにファッション性や装飾性の高いレンズを提供できる。
【００１７】
本発明のレンズは、レンズの一方の面に調光層を形成し、他方の面に遮光層を形成した
ものであってもよい。調光層は高透光性領域および低透光性領域の遮光率を共に変える（
調整する）層であり、遮光層は高透光性領域に対して低透光性領域の遮光率を高くする層
である。レンズ全体の紫外線カットあるいは赤外線カットを含めた透光性能を調光層とし
て、高透光性領域および低透光性領域の遮光率を制御する遮光層と異なる面に設けること
により、変色、偏光などの機能を、高透光性領域の周囲に低透光性領域が形成されたレン
ズに付与でき、多機能のレンズを提供できる。
【００１８】
本発明の異なる態様の１つは、上記レンズが眼鏡レンズであり、その眼鏡レンズと眼鏡
レンズが取り付けられた眼鏡フレームとを有する眼鏡である。障害グレア光を効率よくカ
ットできるとともに、ファッション性や装飾性が高く、ユーザーが日常的に使いやすい眼
鏡を提供できる。ファッション性が高いので、特定の機能障害をフォローするために使用
できるだけではなく、多種多様なユーザーが使用できることから、市場性が高く、機能障
害を持つユーザーに対しても低コストで供給可能となる。
【図面の簡単な説明】
【００１９】
【図１】眼鏡レンズを有する眼鏡を物体側から見た斜視図。
【図２】眼鏡レンズを有する眼鏡を物体側から見た正面図。
【図３】眼鏡レンズを物体側から見た正面図。
【図４】図３に示す眼鏡レンズのIV−IV断面図。
【図５】図４に示す遮光層の遮光率の分布を示した図。
【図６】視野角に対応するグレアを示した図。
【図７】グレア角と視効率の関係を示した図。
【図８】視野角の求め方を示した図。
【図９】視標探索時の頭位（眼位）運動を示した図。
【図１０】眼鏡レンズの領域を示した図。
【図１１】（ａ）は裸眼の状態で眼球から得られる像の感度を模式的に示した図で、（ｂ）はグレアカット対応の眼鏡レンズを装着した状態で眼球から得られる像の感度を模式的に示した図。
【図１２】グレアカット効果の実験に用いた眼鏡レンズサンプルの正面図。
【図１３】図１２に示す眼鏡レンズの明室におけるコントラスト感度を示した図。
【図１４】図１２に示す眼鏡レンズの明室における異なるコントラスト感度を示した図。
【図１５】図１２に示す眼鏡レンズの半暗室におけるコントラスト感度を示した図。
【図１６】図１２に示す眼鏡レンズの半暗室における異なるコントラスト感度を示した図。
【図１７】染色の一例を示した図。
【図１８】（ａ）は第２の実施形態に係る眼鏡レンズを物体側から見た正面図で、（ｂ）は第２の実施形態に係る眼鏡レンズの遮光層の遮光率の分布を示した図。
【図１９】第３の実施形態に係る眼鏡レンズの遮光層の遮光率の分布を示した図。
【図２０】第４の実施形態に係る眼鏡レンズの遮光層の遮光率の分布を示した図。
【図２１】第５の実施形態に係る眼鏡レンズの遮光層の遮光率の分布を示した図。
【図２２】第６の実施形態に係る眼鏡レンズの遮光層の遮光率の分布を示した図。
【図２３】第７の実施形態に係る眼鏡レンズの遮光層の遮光率の分布を示した図。
【図２４】第８の実施形態に係る眼鏡レンズを物体側から見た正面図。
【発明を実施するための形態】
【００２０】
１．  第１の実施形態
１．１  眼鏡レンズの概要
図１に、本発明に係る眼鏡レンズ１０を有する眼鏡１を、物体側から見た斜視図で示し
ている。図２に、本発明に係る眼鏡レンズ１０を有する眼鏡１を、物体側から見た正面図
により示している。この眼鏡１は、左右一組の正面視楕円形の眼鏡レンズ１０と、眼鏡レ
ンズ１０が取り付けられた眼鏡フレーム９とを備えている。眼鏡レンズ１０は、アイポイ
ント（眼鏡を掛けたときの目の位置、瞳孔中心位置、フィッティングポイント）１１を含
む高透光性領域１２と、高透光性領域１２の全周を囲むように設けられた低透光性領域１
４とを含む。低透光性領域１４は、高透光性領域１２よりも遮光率が高く、周辺１５に向
かって遮光率が増加する領域（グラディエント領域、グラデーション領域）１６を含む。
この眼鏡レンズ１０は、裏面（眼球側の面）１０ｂの色の濃度（濃淡）を徐々に濃くする
ことにより、レンズ中央部（高透光性領域）１２からレンズ周辺部（低透光性領域）１４
にかけてグラディエント領域１６を形成している。
【００２１】
図３に、眼鏡レンズ１０を抜き出して、物体側から見た正面図で示している。図４に、眼鏡レンズ１０の概略構成を、縦方向の端面図（図３のIV−IV端面）で示している。図３においては、説明のため、眼鏡レンズ１０におけるアイポイント１１を含む高透光性領域１２と、その高透光性領域１２の全周を囲むように設けられた低透光性領域１４との境界１３を破線で示している。この例では、周辺１５に向かって遮光率が増加するグラディエント領域１６は境界１３に隣接するように設けられている。したがって、高透光性領域１２と低透光性領域１４との境界１３において遮光率は滑らかに変化しており、破線で示された境界１３は、眼鏡１を装着したときに外から眼鏡１を見た人にも、また、眼鏡１を装着しているユーザーにもほとんど意識されない、あるいは目立たないようになっている。
【００２２】
さらに、この眼鏡レンズ１０は、高透光性領域１２から低透光性領域１４にかけてレン
ズの色の濃度（濃淡）を徐々に増加させたドーナッツ状あるいはリング状のグラディエン
ト領域１６が設けられており、斬新なデザインの眼鏡レンズである。また、高透光性領域
１２と低透光性領域１４との間に明確な境界がないので、装着することにより、以下に説
明するグレアカット効果が得られるとともに、視野に違和感が生ずることを抑制でき、一
般のユーザーや障害を持つユーザーが日常生活において抵抗感を抱くことなく、さらに気
軽に使用できるファッション性に富んだ眼鏡レンズ１０である。なお、眼鏡レンズ１０は
、裏面（眼球側の面）１０ｂの側から見た場合にも、表面（物体側の面）１０ａから見た
場合と同様に、図３に示したデザインとして認識される。
【００２３】
眼鏡レンズ１０は、レンズ基材４１の裏面４１ｂ、すなわち眼球１０１の側に遮光率が
変化する遮光層２０を含み、レンズ基材４１の前面４１ａ、すなわち物体側に調光層３０
を含む構造を有する。眼鏡レンズ１０の物体側の面（表面）１０ａに形成された調光層３
０は、紫外線を含む光の照射により変色する調光機能（フォトクロミック機能）を有する
層であり、調光機能を有する液体（コーティング液）を塗布することにより製造されてい
る。そのようなコーディング液としては、フォトクロミック化合物、ラジカル重合性単量
体及びアミン化合物を含み、ラジカル重合性単量体がシラノール基または加水分解により
シラノール基を生成する基を有するラジカル重合性単量体を含むものを挙げることができ
る。調光層３０は、眼鏡レンズ１０の高透光性領域１２および低透光性領域１４の遮光率
を共に変える（調整する）層である。調光層３０の一例は、紫外線の強度により遮光率が
変わり、可視光（４６０〜６００ｎｍ、好ましくは４００〜７６０ｎｍ）を０％から５０
％の範囲でカットし、近紫外光（３１０〜４００ｎｍ）の範囲を０％から９０％、さらに
好ましくは０％から１００％の範囲でカットするものである。
【００２４】
眼鏡レンズ１０の裏面（眼球１０１の側の面）１０ｂの遮光率が変化する遮光層２０は
、染色可能なハードコート層４３の染色濃度を変えることにより形成している。この遮光
層２０により高透光性領域１２と、高透光性領域１２に対して遮光率の高いグラディエン
ト領域１６を含む低透光性領域１４が形成されている。
【００２５】
図５に、眼鏡レンズ１０のハードコート層４３（遮光層２０）を抜き出して、視野角θ
に対する染色状態を示している。具体的には、ハードコート層４３の視野角θ（以下で説
明する）が０度〜１０度の範囲は染色されておらず、ハードコート層４３による遮光性の
制御は行われてない領域（遮光率が０％）となっている。ハードコート層４３の視野角θ
が１０度から１５度の範囲は、視野角θにほぼ比例して遮光率が０％から１０％に徐々に
変化し、ハードコート層４３の視野角θが１５度から２０度の範囲は、視野角θにほぼ比
例して遮光率が１０％から４０％に徐々に変化するように染色されている。ハードコート
層４３の視野角θが２０度以上の範囲は、遮光率４０％となるように染色されている。し
たがって、視野角θが１０度以下の範囲を高透光性領域１２、視野角θが１０度を超える
範囲を低透光性領域１４、視野角θが１０度から２０度の範囲をグラディエント領域１６
とすることができる。一方、遮光率が１０％以下程度であれば夜間でも視野を狭める要因
にほとんどならないので、視野角θが１５度以下の範囲を高透光性領域１２、視野角θが
１５度を超える範囲を低透光性領域１４、視野角θが１５度から２０度の範囲を低透光性
領域１４におけるグラディエント領域１６と定義してもよい。なお、本明細書において遮
光率が０％とは、染色などにより遮光率の増加が図られていないことを示しており、レン
ズ基材４１およびその他の層４２〜４５などによる光の吸収は考慮していない。したがっ
て、レンズ基材４１およびその他の層４２〜４５などによる光の吸収により、本明細書に
おいて遮光率が０％と記載しても、眼鏡レンズ１０により光の吸収（減衰）が認められる
ことがある。
【００２６】
すなわち、眼鏡レンズ１０は、レンズ基材４１の裏面４１ｂには、レンズ基材４１より
プライマー層４２、ハードコート層４３、反射防止層４４および防汚層４５が積層されて
おり、ハードコート層４３が染色層（遮光層）２０となり、眼鏡レンズ１０の場所に依存
した遮光率を制御している。レンズ基材４１の前面４１ａにはレンズ基材４１よりプライ
マー層４２、ハードコート層４３、反射防止層４４、調光層３０および防汚層４５が積層
されており、調光層３０は、眼鏡の使用時刻あるいは場所による遮光率を制御している。
染色層２０を表面１０ａの側に設け、調光層３０を裏面１０ｂの側に設けることも可能で
ある。しかしながら、調光層３０が紫外線により感度良く変色するためには、紫外線がレ
ンズ基材４１あるいは他の層により吸収されやすい裏面１０ｂの側よりも紫外線に晒され
やすい表面１０ａの側に調光層３０を設けることが望ましい。なお、この眼鏡レンズ１０
の製造方法については以下でさらに説明する。
【００２７】
１．２  高透光性領域および低透光性領域を有する眼鏡レンズのグレアカット効果につい
て
図６に、視野角に対応するグレア（眩しさ）を示している。図７に、グレア角と視効率（見えやすさ）の関係を示している。図８に、視野角の求め方を示している。図８に示すように、眼球１０１の視軸１０５に対する視野角θは、眼鏡装用距離Ｌおよび視野幅Ｆｗにより、以下の式（１）で求められる。
θ＝ｔａｎ−１（Ｆｗ／Ｌ）・・・（１）
【００２８】
視野幅Ｆｗは眼鏡レンズ１０のアイポイント１１からの距離を示す。図１ないし図３に
示したような眼鏡レンズ１０のデザインは、アイポイント１１を中心として同心円状ある
いは楕円状（楕円の短軸および長軸の交点がアイポイント１１またはその近傍）、あるい
はアイポイント１１から周辺１５に向かって放射状に変化する模様を中心としている。し
たがって、アイポイント１１からの距離が主なファクターとしてデザインが決まる。しか
しながら、眼鏡装用距離Ｌは概ね２５ｍｍ程度でほぼ一定している。このため、眼鏡レン
ズ１０のデザインを視野角θで定義することが可能である。たとえば、視野幅Ｆｗが４ｍ
ｍは視野角θが約９度に相当する。したがって、以下においては、視野角θを用いて、上
記の眼鏡レンズ１０に付されたデザインと、グレアカットとの関係について説明する。な
お、以下において視野角θは、特別に記載しない限り絶対値または円錐の半頂角を意味し
、立体角に対応するものである。したがって、視野角θは、視軸１０５に対して水平およ
び垂直方向に±θであることを示す。
【００２９】
図６は、注視線（図面の０度の線、視軸）１０５に対してある角度（グレア角）φに強
い光（光源）１０３があるときに、対象物１０２の見え方が低下することを照度低下に換
算した値で示している。図７は、見え方の低下（照度低下）を視効率の低下として、グレ
ア角φに対して示している。図６に示すように、視標（対象物）１０２に対するグレア角
φにより視効率（見えやすさ）は変化するが、視野内に光源１０３があるとグレアとなり
視効率が低下することが分かる。全体的に眼球１０１に入射する光（グレア光）が視標（
対象物）１０２から離れるにつれて、徐々にグレア（眩しさ）が緩和され視効率（見えや
すさ）が向上する。
【００３０】
このようなグレア（眩しさ、羞明）は、過剰な輝度または過剰な輝度対比のために不快
感または視機能低下につながり、不快グレアと障害グレア（減能グレア）に分類される。
【００３１】
グレア角φが２０度以下のグレアによる視効率の低下はほぼ５０％を超えて著しく、対
象物１０２の判別が難しくなる。したがって、不快感を覚え、人間はほとんど無意識に眼
球１０１を動かしたり、頭を動かしたり、姿勢を変えたりするなどの動作を行い、少なく
ともその範囲（グレア角φが２０度）にグレア光が入らないようにする。このようなグレ
ア光を不快グレア光５１と呼ぶ。「不快グレア」は、視野内で隣接する部分の輝度差が著
しい場合や、眼に入射する光量が急激に増したときに不快を感じる状態をいう。
【００３２】
一方、グレア角φが２０度から４０度の範囲のグレア光による視効率の低下はほぼ５０
％以内である。したがって、この角度範囲のグレア光は極端な不快感をもたらさない緩や
かな、あるいはソフトなグレア光ではあるが視効率が低下する。このため、この角度範囲
のグレア光は障害グレア光（減能グレア光）５２と呼ばれる。減能グレア光５２について
は、眼組織内において生ずる散乱光による網膜像のコントラストの低下、露出不足、網膜
順応不能などが視力の低下につながると考えられている。また、印刷面における反射光に
より文字が読みにくくなるような反射グレアも減能グレア光５２に含まれる。
【００３３】
したがって、視効率の低下を抑制するためには、不快グレア光５１に対しては、どのよ
うな方向からの光であっても素早く不快グレア光５１を少なくとも減能グレア光５２の範
囲に動かして視野を確保し、減能グレア光５２に対してはその影響を定常的に、また、効
果的にカットして良好な視野を確保できるようにすることが望ましい。また、放置すれば
無意識に入射し続ける減能グレア光５２をカットすることは視野を確保するだけではなく
、眼球、角膜などに障害が発生するのを未然に防止するためにも有効である。さらに、白
内障の患者にとっては、混濁した水晶体の中を光が散乱するのでグレア光によるコントラ
スト感度の低下が大きく、そのような眼の病気を持ったユーザーにおいては、減能グレア
光５２をカットすることは視力を矯正するためにも有効である。
【００３４】
図９は、視標探索時の頭位（眼位）運動を観察した一例を示している。図９に示した幾
つかのグラフは、注視点より水平方向にある角度だけ移動した視標（対象物）を認識する
ために、頭部がどの程度回転するかを示している。視標（対象物）を注目させる注視の状
態においては、グラフ１８１に示すように頭部は対象物とともに回転する。これに対して
、視標（対象物）を単に認識する程度の弁別視の状態においては、グラフ１８２に示すよ
うに、頭部の動きは対象物の角度（移動）に対して１０度程度小さく（少なく）なる。こ
の観察結果により、眼球の動きにより対象物を認識できる範囲の限界を約１０度程度に設
定できる。したがって、視野角θが１０度程度以内を弁別視力領域（弁別視の際の眼球の
運動領域）と設定できる。さらに、指標（対象物）を大まかに認識する自由視の状態にお
いては、グラフ１８３に示すように、対象物の角度（移動）に対して１５度程度小さく（
少なく）なる。したがって、視野角θが１５度程度以内を自由視力領域（自由視の際の眼
球の運動領域）と設定できる。
【００３５】
図１０に、上記考察に基づき本願の発明者が眼鏡レンズ１０において設定した幾つかの
領域を示している。眼鏡レンズ１０の視軸１０５に対する視野角θが１０度以内の範囲は
弁別視力領域９１と定義できる。上述したように視野角θが１０度以内の範囲は、弁別視
のために主に眼球が動く。したがって、この範囲はできる限りクリアーな視界が得られる
ことが望ましく、紫外線などが極端に強い場合を除き、グレア光をカットすることよりも
クリアーな視界を得ることが望ましいと考えられる。
【００３６】
視軸１０５に対する視野角θが２０度以内の範囲は眼球運動領域９２と定義できる。こ
の眼球運動領域９２には、弁別視力領域９１および自由視力領域９５が含まれる。グレア
角φが２０度以下のグレア光は不快グレア光５１であり、視野角θが２０度以下の範囲に
グレア光があれば、この範囲のグレア光は眼球または頭の動きで避けると予想される。し
たがって、視野角θが２０度以下の領域は、基本的には、グレア光をカットまたは抑制す
ることよりも、紫外線などが極端に強い場合を除き、クリアーな視界を得ることが望まし
いと考えられる。
【００３７】
一方、視野角θが１０度から２０度の範囲は、弁別視力領域９１を超えており、弁別視
力領域９１ほど視覚に影響を与えない。さらに、自由視力領域９５は視野角θが１５度以
下程度までであり、視野角θが１５度を超えると対象物を視野に捉えてもその対象物の明
確な把握に寄与する率（能力）は少ない領域であるといえる。したがって、視野角θが１
０度から２０度の範囲は中間領域９６であり、クリアーな視界を得ることと、グレア光を
カットまたは抑制することとをある程度のレベルで両立させたり、またはいずれか一方を
優先してもよい。すなわち、視野角θが１０度から２０度程度の中間領域９６は、ユーザ
ーあるいは用途により眼鏡レンズ１０の機能をフレキシブルに設定でき、また、この中間
領域９６は眼鏡レンズ１０のデザインのフレキシビリティが高い領域となる。
【００３８】
視軸１０５に対する視野角θが２０度から４０度の範囲はグレアカット領域９３である
。図６および図７に示したように、グレア角φが２０度以上の領域のグレア光は障害グレ
ア光５２であり、この範囲のグレア光は眼球や頭部の動きにより避けられない可能性があ
る。また、この範囲のグレア光は視効率の低下に繋がる。したがって、グレアカット領域
９３においては、クリアーな視界を得ることよりもグレア光をカットすることを優先する
ことが望ましい。その一方、視野の感度分布や網膜上の視細胞の分布を考慮すると、視野
角θが４０度の付近でも十分な感度があることが認められており、さらに、視野角θが３
０度の付近で感度および視細胞の分布は比較的急激に増加する。したがって、視野角θが
２０度から４０度の範囲で完全に眼球１０１に入る光を遮断すると、その範囲の視野感度
がなくなり、視細胞の機能が活かされない。このため、眼球１０１の弁別能力を活かすた
めには視野角θが４０度程度までグレア光のカットを優先しながらある程度の視界が確保
できることが望ましい。
【００３９】
さらに、視野角θが２０度から３０度の範囲は、視野感度も比較的高く、視細胞の分布
も高い。したがって、視野角θが２０度から３０度の領域９７はグレアカット領域９３で
はあるが、視野角θが３０度を超える領域に対して遮光率を低くし、グレアカットを若干
低くしてクリアーな視野が得られるようにすることも有効な領域である。したがって、こ
の領域９７も中間領域９６と同様に、ユーザーあるいは用途により眼鏡レンズ１０の機能
をフレキシブルに設定でき、また、デザインのフレキシビリティが高い領域となる。
【００４０】
視軸１０５に対する視野角θが４０度から４５度の範囲は、殆どの眼鏡レンズ１０においてフレームに入れるために加工される領域であり、眼鏡レンズ１０のフレーム領域９４である。したがって、フレーム領域９４のグレア光はカットされる。
【００４１】
このように、グレアカットという機能の実現を考慮すると、アイポイント１１を通る視
軸１０５を中心とする視野角θで幾つかの機能領域を設定できる。図８を参照して説明し
たように、眼鏡レンズ１０の表面１０ａおよび裏面１０ｂを含む視野領域は視野角θで定
義することが可能であり、視野角θで機能を定義できる領域は、眼鏡レンズ１０の視野領
域ではアイポイント１１を中心とする同心円で定義される。なお、以降においては、視野
領域を表面１０ａまたは裏面１０ｂのみで説明することがある。したがって、図１ないし
図３において示した眼鏡レンズ１０の表面１０ａに見えるドーナッツ状のデザインと、グ
レアカットという機能とを関連させることが可能であり、グレアカット機能と斬新なデザ
インとを合わせもった眼鏡レンズ１０を提供できる。
【００４２】
図１１は、減能グレア光５２をカットする効果を模式的に示す図である。図１１（ａ）
は、裸眼の状態（グレアカットをしていない状態）で眼球１０１から得られる像の感度を
模式的に示している。眼球１０１には注視している物体からの光束１０７ａとともに、グ
レア光（減能グレア光）１０７ｂが入射される。グレア光１０７ｂは網膜１０６で結像し
たり、水晶体１０９で乱反射する。
【００４３】
図１１（ｂ）は、眼球１０１の前方にグレアカット対応の眼鏡レンズ１０を装着した状
態で眼球１０１から得られる像の感度を模式的に示している。眼鏡レンズ１０は、アイポ
イント１１を中心とする高透光性領域１２と、その周囲に形成された遮光性の高い低透光
性領域１４とを含む。したがって、眼球１０１には注視している物体からの光束１０７ａ
は裸眼と同様に入射するが、グレア光（減能グレア光）１０７ｂは低透光性領域１４によ
り強度が著しく低下する。このため、グレア光１０７ｂは網膜１０６でほとんど結像せず
、また、水晶体１０９で乱反射する可能性も小さい。このため、網膜１０６を介して認識
される像としてはコントラスト感度が向上すると考えられる。周囲の画像の輝度（刺激）
を抑制することにより、高感度部と隣り合う弱感度部はより弱く、弱感度部と隣り合う高
感度部はより強く刺激を受け、物体がシャープに見える現象を側（方）抑制効果と呼ぶこ
とがある。
【００４４】
１．３  グレアカット効果の実験
図１２に、グレアカット効果の実験に用いた眼鏡レンズサンプル１１０を示している。
この眼鏡レンズサンプル１１０は、レンズ中央部に、高透光性領域１２に対応した透明領
域１１２と、その周辺部に、低透光性領域１４に対応した不透明領域１１４とを含む。具
体的には、この眼鏡レンズサンプル１１０は全体として不透明な部材であり、レンズ中央
部にアイポイント（瞳孔中心位置）１１１を中心とした上下±５ｍｍ、左右±４ｍｍの開
口からなる透明領域１１２を有する。透明領域１１２のサイズは、鉛直方向の視野角θが
±約１１度および水平方向の視野角θが±約９度に対応する。
【００４５】
図１３から図１６に、眼鏡レンズサンプル１１０と、全面無色透明の眼鏡レンズサンプ
ル（比較レンズサンプル）とを交換して装着し、２人の被験者に対して行ったコントラス
ト感度の比較実験結果を示している。上記の眼鏡レンズサンプル１１０を装着した結果は
グレアカットとして実線で示し、比較レンズサンプルを装着した結果は比較として破線で
示している。各図の横軸は、空間周波数（ｃｐｄ、Cycle Per Degree）を示す。空間周波
数は、単位視野角当たりに明暗（白黒）の縞模様が何組あるかを表す値であり、ｃｐｄは
角度１度の範囲に白黒のペアがいくつあるかを示している。各図の縦軸は、コントラスト
感度を示しており、それぞれの縞（白黒ペア）でどの程度の明暗のコントラストを被験者
が感じたかを示している。
【００４６】
被験者は５５歳の男性Ａおよび５０歳の男性Ｂの２人であり、測定にはベクタービジョ
ン社製のグレア付きコントラスト感度測定器ＣＳＶ−１０００を使用し、測定距離を２ｍ
に設定した。
【００４７】
図１３および図１４は明室でグレア光がない状態での測定結果を示す。グレア光がない
状態であっても、低周波数（３ｃｐｄから６ｃｐｄの空間周波数帯域）において眼鏡レン
ズサンプル（グレアカットサンプル）１１０を用いることによりコントラスト感度が向上
するとの結果が得られた。
【００４８】
図１５および図１６は、半暗室でグレア光がある状態での測定結果を示す。男性Ａおよ
び男性Ｂで傾向の差はあるが、概ね３ｃｐｄから１８ｃｐｄの広い空間周波数帯域でグレ
アカットサンプル１１０を用いることによりコントラスト感度が向上するとの結果が得ら
れた。したがって、グレアカットサンプル１１０を装着することによりグレア光がない状
態でもコントラスト感度が向上する可能性があり、グレア光がある場合はグレアカットサ
ンプル１１０を装着することによる幅広い周波数帯域でコントラスト感度が向上すること
が分かった。
【００４９】
上記の実験結果においても確認されたように、アイポイント１１を中心とする高透光性
領域１２と、その周囲を囲う低透光性領域１４とを設けた眼鏡レンズ１０はグレア光をカ
ット（遮光）する機能を有し、コントラスト感度を向上させるのに有効である。したがっ
て、図１ないし図４に示すような、アイポイント１１を中心として遮光率が変化するデザ
インの眼鏡レンズであって、中心の遮光率が周囲より低い、すなわち、中心の透光性の高
い眼鏡レンズ１０はアイポイント１１を中心とする高透光性領域１２と、その周囲を囲う
低透光性領域１４とを有するので、グレアカット機能を含みコントラスト感度を向上させ
るのに有効である。
【００５０】
さらに、図１ないし図４に示した眼鏡レンズ１０は、高透光性領域１２から低透光性領
域１４にかけてレンズの色の濃度（濃淡）を徐々に増加させたグラディエント領域１６を
含むデザインが採用されており、高透光性領域１２と低透光性領域１４との間に明確な境
界が生じない。したがって、眼鏡レンズ１０の全体にわたりレンズの色の濃度（濃淡）が
徐々に変化するので、視野に違和感が生ずることを防止できる。それとともに、気軽に使
用できるファッション性に富んだ眼鏡レンズ１０となる。このため、眼鏡レンズ１０を含
む眼鏡１は、一般のユーザーがファッションに機能を兼ね備えたアイテムとして装着でき
、また、障害を持つユーザーが日常生活において抵抗感を抱くことなく装着できるものと
なる。
【００５１】
また、この眼鏡レンズ１０においては、低透光性領域１４の遮光率を眼鏡レンズ１０の
周辺部で４０％程度（紫外線の強い場合は調光層３０の機能により９０％程度）に止め、
特に夜間や室内においてある程度の透光率を確保している。したがって、低透光性領域１
４においてグレア光をある程度カットするが、低透光性領域１４の視野を完全に隠すこと
なく、眼球１０１の視野感度や視細胞をできるだけ活用し、広い視野が得られるようにな
っている。
【００５２】
さらに、グラディエント領域１６はデザイン性を向上させるだけではなく、遮光率をア
イポイント１１から周辺（外側）に向けて徐々に増加することにより、減能グレア光５２
のカットと、クリアーな視界との両立を図ろうとしている。したがって、この点でも視野
が広く、かつ、グレア光の影響を抑制できる眼鏡レンズ１０を提供できる。さらに、クリ
アーな視界とグレアカットとがトレードオフの関係になる場合は、グラディエント領域１
６および低透光性領域１４は、アイポイント１１に対して高透光性領域（明領域）１２の
全周を囲い、アイポイント１１の全周（３６０度）方向に設けられており、最小限の眼球
や頭部の動きによりユーザーが最も見やすい条件を容易に実現できるようにしている。
【００５３】
グラディエント領域１６および低透光性領域１４は、基本的にグレア光をカットできる
ので、減能グレア光５２のカットだけではなく、不快グレア光５１に対しても有効である
。さらに、グラディエント領域１６および低透光性領域１４は、アイポイント１１の全周
方向に設けられているので、どの方向に視軸１０５を動かしてもグレア光をカットできる
。したがって、不快グレア光５１に対しても、視軸１０５の動きが最少となる方向に眼球
や頭部を動かすことにより不快グレア光５１を減能グレア光５２の範囲に移動させること
ができ、その影響を抑制できる。
【００５４】
このように、眼鏡レンズ１０は機能およびデザインの両面において優れており、多種多
様なユーザーが使用できる。したがって眼鏡レンズ１０の市場性は高く、低コストで製造
できる可能性がある。このため、機能障害を持つユーザーに対しても低コストで供給可能
となり、誰もが容易に使用でき、使い方が簡単で使用する上での自由度が高く、気軽に使
用することができるユニバーサルデザイン化された眼鏡１を提供できる。
【００５５】
さらに、この眼鏡レンズ１０は、調光層３０を含む。このため、昼間の屋外においては
、調光層３０が光（紫外線）を感知して黒色などの暗い色に変色するので、低透光性領域
１４に限らず高透光性領域１２の遮光率を高くできる。したがって、高透光性領域１２も
含め、紫外線カットやグレアカット機能を付与できる。さらに、調光層３０による色変化
がハードコート層４３の染色に対して主体となる眼鏡レンズ１０においては、昼間の屋外
においては、眼鏡レンズ１０の全体が暗くほぼ一色のレンズに見え、夜間および屋内にお
いては、ハードコート層４３の染色により施されたドーナッツ状あるいはリング状の模様
が見えるという、時と場所によりデザインが変化する眼鏡レンズ１０として提供すること
も可能である。したがって、眼鏡レンズ１０の全体の変色、偏光などの機能と、視野角に
よるグレアカットの機能とを有し、さらに装飾性の高いデザインを備えた眼鏡１として、
様々な時や場所において使用することができる眼鏡レンズ１０および眼鏡１を提供できる
。
【００５６】
この眼鏡レンズ１０においては、弁別視力領域９１をカバーできるように、視野角θが
少なくとも１０度の範囲（たとえば、眼鏡装着用距離Ｌが２５ｍｍのとき（以下において
も同様）にアイポイント１１からの半径が４〜５ｍｍの範囲）が高透光性領域１２である
ことが好ましい。高透光性領域１２は、自由視力領域９５を考慮すると視野角θが少なく
とも１５度の範囲（アイポイント１１からの半径が６．５〜７．５ｍｍの範囲）であって
もよく、さらに、中間領域９６を含み、視野角θが少なくとも２０度の範囲（アイポイン
ト１１からの半径が８．５〜９．５ｍｍの範囲）であってもよい。高透光性領域１２では
、可視光領域および近紫外光領域または近赤外光領域を含む全遮光率が９５％以下である
ことが好ましい。全遮光率はハードコート層４３の染色で実現されてもよく、調光層３０
との組み合わせで実現されてもよい。クリアーな視界を確保するという点では、全遮光率
が９０％以下であることが望ましく、全遮光率が８０％以下であることがさらに好ましく
、全遮光率が７０％以下であることがいっそう好ましい。また、高透光性領域１２の全遮
光率は０％以上であることが好ましく、デザイン性や、常時光をカットすることが望まし
いユーザーに対しては、全遮光率が５％以上であってもよく、全遮光率が１０％以上であ
ってもよい。
【００５７】
低透光性領域１４は、グレアカット領域９３を考慮すると視野角θが２０度を超える範
囲（アイポイント１１からの半径が８．５〜９．５ｍｍを超える範囲）であることが好ま
しく、自由視力領域９５を考慮すると視野角θが１５度を超える範囲（アイポイント１１
からの半径が６．５〜７．５ｍｍを超える範囲）であってもよく、さらに、弁別視力領域
９１を含まない視野角θが１０度を超える範囲（アイポイント１１からの半径が４〜５ｍ
ｍを超える範囲）であってもよい。低透光性領域１４では、グラディエント領域１６の外
側、たとえば視野角θが４０度を超える範囲（アイポイント１１からの半径が２０．５〜
２１．５ｍｍを超える範囲）または３０度を超える範囲（アイポイント１１からの半径が
１４〜１５ｍｍを超える範囲）においてグレアカットを優先すると可視光領域および近紫
外光領域または近赤外光領域を含む全遮光率が１００％であってもよいが、視界の確保を
考慮すると全遮光率が９５％以下であることが好ましい。低透光性領域１４の全遮光率は
高透光性領域１２と同様にハードコート層４３の染色で実現されてもよく、調光層３０と
の組み合わせで実現されてもよい。クリアーな視界を確保するという点では、全遮光率が
９０％以下であることが望ましく、全遮光率が８０％以下であることがさらに好ましく、
全遮光率が７０％以下であることがいっそう好ましい。また、低透光性領域１４の全遮光
率は、少なくともグラディエント領域１６の外側においてはグレアカットするために１０
％以上であることが好ましく、２０％以上であることがさらに好ましく、３０％以上であ
ることがいっそう好ましい。
【００５８】
１．４  製造方法
１．４．１  レンズ本体の製造
上述した眼鏡レンズ１０の製造方法の一例を説明する。この例では、反射防止層４４お
よび防汚層（撥水層）４５まで積層したのちにハードコート層４３を染色できる眼鏡レン
ズ１０を製造し、その後、ドーナッツ状の染色を施す例を説明する。反射防止層４４およ
び防汚層（撥水層）４５まで積層したのちにハードコート層４３を染色できる眼鏡レンズ
１０については、本願出願人の出願である特開２００６−１３９２４７号公報に詳しく記
載されている。
【００５９】
本眼鏡レンズ１０は図４に示したような構成を備えている。まず、所望の光学的な性能
を備えたレンズ基材４１を、例えば、セイコーエプソン（株）製、セイコースーパーソブ
リン用レンズ生地（ＳＳＶ）を用いて形成する。
【００６０】
次に、プラスチック製のレンズ基材４１の両面に、レンズ基材４１およびハードコート
層４３の密着性を向上させるプライマー層（下地層）４２を浸漬法により形成する。プラ
イマー層４２を形成するための塗布液Ｐ１は、例えば、市販のポリエステル樹脂「ペスレ
ジンＡ−１６０Ｐ」（高松樹脂（株）製、水分散エマルジョン、固形分濃度２７％）１０
０部に、ルチル型酸化チタン複合ゾル（触媒化成工業（株）製、商品名オプトレイク１１
２０Ｚ）８４部、希釈溶剤としてメチルアルコ−ル６４０部、レベリング剤としてシリコ
ーン系界面活性剤（日本ユニカー（株）製、商品名「ＳＩＬＷＥＴ Ｌ−７７」）１部を
混合し、均一な状態になるまで撹拌して調製する。この塗布液Ｐ１を、レンズ基材４１の
両面に、ディッピング方式（引き上げ速度１５ｃｍ毎分）により塗布し、塗布後のレンズ
基材４１を８０℃で２０分間風乾することにより、プライマー層４２を形成する。塗布液
Ｐ１により形成されたプライマー層４２の焼成後の固形分は、６２重量％のポリエステル
樹脂と、３８重量％のルチル型酸化チタン複合ゾルとを含んでいる。
【００６１】
プライマー層４２が積層されたレンズ基材４１の表面に、ガラス製に比べて傷つきやす
いプラスチック製のレンズ基材４１の表面硬度を向上させるハードコート層であって染色
性を有するハードコート層４３を形成する。ハードコート層４３を形成するための塗布液
Ｈ１は、例えば、プロピレングリコールメチルエーテル１３８部、ルチル型酸化チタン複
合ゾル（触媒化成工業（株）製、商品名オプトレイク１１２０Ｚ）６８８部を混合した後
、γ―グリシドキシプロピルトリメトキシシラン１０６部、グリセロールポリグリシジル
エーテル（ナガセ化成工業（株）製、商品名デナコールＥＸ３１３）３８部を混合して得
た混合液に、０．１Ｎ塩酸水溶液３０部を撹拌しながら滴下し、さらに４時間撹拌後、一
昼夜熟成させる。その後、この混合液に、Ｆｅ（III）アセチルアセトネート１．８部、
シリコーン系界面活性剤（日本ユニカー（株）製、商品名Ｌ−７００１）０．３部を添加
して調製する。この塗布液Ｈ１を、プライマー層４２の表面に、ディッピング方式（引き
上げ速度３５ｃｍ毎分）により塗布し、塗布後のレンズ基材４１を８０℃で３０分間風乾
し、さらに、１２０℃で１２０分焼成を行うことにより、２．３μｍ厚のハードコート層
４３を形成する。形成されたハードコート層４３は、多官能エポキシ化合物であるグリセ
ロールポリグリシジルエーテルを十分に含んでおり、染色可能なハードコート層である。
塗布液Ｈ１により形成されたハードコート層４３の焼成後の固形分は、５５重量％の金属
酸化物微粒子（ルチル型酸化チタン複合ゾル）と、３０重量％の有機ケイ素（γ―グリシ
ドキシプロピルトリメトキシシラン）と、１５重量％の多官能エポキシ化合物（グリセロ
ールポリグリシジルエーテル）とを含んでいる。
【００６２】
ハードコート層４３が積層されたレンズ基材４１の表面に、光の表面反射を防止する反
射防止層４４を形成する。反射防止層４４を形成するための塗布液（低屈液）ＡＲ１は、
例えば、γ―グリシドキシプロピルトリメトキシシラン１４部、テトラメトキシシラン１
５部を混合したものに０．１Ｎ塩酸水溶液１３部を撹拌しながら滴下し、さらに４時間撹
拌後、一昼夜熟成させて得た混合液に、プロピレングリコールメチルエーテル８７８部、
中空シリカゾル（触媒化成工業（株）製、商品名オスカル特殊品）８０部、過塩素酸マグ
ネシウム０．０４部、シリコーン系界面活性剤（日本ユニカー（株）製、商品名Ｌ−７０
０１）０．３部を添加して調製する。レンズ基材４１の表面（ハードコート層４３の表面
）をプラズマ処理で親水化させた後、この塗布液ＡＲ１を、ハードコート層４３の表面に
、湿式（ディッピング方式（引き上げ速度１５ｃｍ毎分））により塗布し、塗布後のレン
ズ基材４１を８０℃で３０分間風乾し、さらに、１２０℃で６０分焼成を行うことにより
、約１００ｎｍ厚の多孔性の反射防止層（低屈膜）４４を形成する。塗布液ＡＲ１により
形成された反射防止層４４の焼成後の固形分は、２５重量％のγ―グリシドキシプロピル
トリメトキシシランと、１５重量％のテトラメトキシシランと、６０重量％の中空シリカ
ゾルとを含んでいる。本液は、多官能エポキシ化合物（グリセロールポリグリシジルエー
テル）を含んでいない。
【００６３】
反射防止層４４が積層されたレンズ基材４１の表面をフッ素系シラン化合物で撥水処理し、撥水膜（防汚層）４５が設けられた眼鏡レンズ１０を形成する。なお、眼鏡レンズ１０の表面１０ａの側においては、撥水処理する前に、調光機能を有する液体（コーティング液）を塗布することにより調光層３０を成膜する。調光機能を有するコーティング液としては、フォトクロミック化合物、ラジカル重合性単量体及びアミン化合物を含み、ラジカル重合性単量体がシラノール基または加水分解によりシラノール基を生成する基を有するラジカル重合性単量体を含むものを挙げることができる。
【００６４】
１．４．２  染色
本例では、このように製造された撥水膜付きの眼鏡レンズ１０を、９４℃の分散染料浴
中に浸漬し、所望の模様を有する眼鏡レンズ１０を製造した。分散染料は、例えば、セイ
コープラックスダイヤコート用染色剤アンバーＤを用いることができる。染色剤を変える
ことにより色、模様を変えることができる。
【００６５】
図１７に示すように、眼鏡レンズ１０の表面（物体側の面）１０ａの全部に撥染色膜１
６０ａを形成し、裏面（眼球１０１の側の面）１０ｂには視野角θが２０度以内の領域を
覆い、視野角θが２０度以上の領域は除かれるように撥染色膜１６０ｂ１を形成する。撥
染色膜としては、染色防止効果を備えた素材、たとえば、各種ののりや非透水性の素材か
らなるマスクまたはマスキング用のシートを用いることができる。９４℃の分散染料浴中
に１０分間浸漬することにより、ハードコート層４３の視野角θが２０度以上の領域を染
色する。
【００６６】
最初の染色を行った後、次に、眼鏡レンズ１０の裏面１０ｂを覆う撥染色膜１６０ｂ１
を、視野角θが１５度から２０度の範囲をカバーする、染色剤の透過性に距離または角度
依存性がある撥染色膜１６０ｂ２と、視野角θが０度から１５度の範囲をカバーする、透
過性に依存性のない撥染色膜１６０ｂ３との組み合わせに変更し、９４℃の分散染料浴中
に１０分間浸漬する。これによりハードコート層４３の視野角θが２０度以上の領域をさ
らに染色し、視野角θが１５度から２０度までの領域に角度依存性のある染色を行う。
【００６７】
同様に、眼鏡レンズ１０の裏面１０ｂを覆う撥染色膜１６０ｂ２および１６０ｂ３を、
視野角θが１０度から１５度の範囲をカバーする、染色剤の透過性に距離または角度依存
性がある撥染色膜１６０ｂ３と、視野角θが０度から１０度の範囲をカバーする、透過性
に依存性のない撥染色膜１６０ｂ４との組み合わせに変更し、９４℃の分散染料浴中に１
０分間浸漬する。これによりハードコート層４３の視野角θが１５度以上の領域をさらに
染色し、視野角θが１０度から１５度までの領域に角度依存性のある染色を行う。このよ
うにして高透光性領域１２から低透光性領域１４にかけてレンズの色の濃度（濃淡）が徐
々に濃くなるグラディエント領域１６を有する眼鏡レンズ１０を製造し、提供できる。
【００６８】
なお、ハードコート層４３はさらに細かいステップで染色することによりグラディエン
ト領域１６を多段に色が変化する領域で実現することも可能である。また、眼鏡レンズの
染色または色づけは上記の方法に限らず、レンズ基材４１を染色してもよく、さらに、イ
ンクジェット方式やスプレー方式により処理液を塗布することによりドーナッツ状の模様
を形成してもよい。インクジェット方式を用いてレンズの表面に処理液を塗布する方法は
、たとえば、本願出願人の出願である特開２００１−３２７９０８号公報などに記載され
ている。
【００６９】
１．５  グラディエント領域を有する眼鏡レンズのファッション性
以上に説明したように、眼鏡レンズ１０には、高透光性領域１２の全周を囲むように、
周辺に向かって遮光率が変化する領域（グラディエント領域）１６が設けられており、ド
ーナッツ状あるいは環状に遮光率が変化する、新しいデザインの、ファッション性の高い
眼鏡レンズ１０および眼鏡１を提供できる。すなわち、遮光率の変化をレンズの色の濃度
（濃淡）の変化としてレンズに付与でき、ドーナッツ状あるいは環状の色などの変化を備
えた眼鏡レンズ１０は新しい装飾性を持った、ファッション性に富んだ眼鏡レンズ１０と
して認識される。上記に示した染色による遮光率の制御（調整）は一例であり、反射防止
層４４の性能を調整して反射率（透過率）の変化により遮光率を制御したり、微細模様な
どにより実現される開口率の変化により遮光率を制御してもよく、いずれの場合も遮光率
の変化は外から目に見える変化として眼鏡レンズ１０に反映される。
【００７０】
さらに、この眼鏡レンズ１０は、高透光性領域１２と、その高透光性領域１２の全周を
囲むように設けられた、グラディエント領域１６を含む低透光性領域１４を有する。この
ため、上述したように高透光性領域１２で視野（視界）を確保し、低透光性領域１４でグ
レア光をカット（遮光）することができる。したがって、白内障などの障害があり、低透
光性領域１４を有する眼鏡により機能を補助することが望ましいユーザーに限らず、一般
のユーザーがグレア光の影響を抑制してコントラストの高い画像を得たり、強い可視光、
近紫外または近赤外光による眼の疲労や眼に障害が発生するのを抑制するアイテムとして
眼鏡レンズ１０を備えた眼鏡１を装着できる。
【００７１】
したがって、眼鏡レンズ１０は、一枚のレンズに美的効果（ファッション性）および防
眩効果を備え、一般のユーザーや障害を持つユーザーがさらに気軽に使用できる眼鏡レン
ズ１０となっている。
【００７２】
２．  第２の実施形態
図１８（ａ）に、第２の実施形態に係る眼鏡レンズ１００ａを、物体側から見た正面図で示している。また、図１８（ｂ）に遮光層２０により実現される遮光率の分布を示している。この眼鏡レンズ１００ａも、アイポイント１１を含む高透光性領域１２と、高透光性領域１２の全周を囲むように設けられた低透光性領域１４とを含み、低透光性領域１４は、高透光性領域１２よりも遮光率が高く、周辺１５に向かって遮光率が増加する領域（グラディエント領域）１６を含む。高透光性領域１２と、低透光性領域１４との境界１３を示す破線は仮想的な線であり、実際は現れない。この眼鏡レンズ１００ａも、図１および２に示したように眼鏡フレーム９に装着することができ、ファッション性と、グレアカット機能とを合わせもった眼鏡１を提供できる。なお、本実施形態および以下の実施形態において第１の実施形態と共通する部分については共通の符号を付して説明を省略する。
【００７３】
この眼鏡レンズ１００ａにおいては、遮光率がほとんどない（たとえば遮光率が０％）
透光性の高い高透光性領域１２が、視野角θが２０度の範囲まで広がっている。また、周
辺１５に向かって遮光率が増加するグラディエント領域１６では、視野角θが２０度から
４０度の範囲で遮光率が０％から４０％程度まで高くなっている。したがって、第１の実
施形態の眼鏡レンズ１０に対して、視野角θが１０度から２０度の中間領域９６において
、グレアカットよりもクリアーな像が得られることを優先した設計（デザイン）となって
いる。したがって、この眼鏡レンズ１００ａは、高透光性領域１２の範囲を、特に、遮光
率が変化せずに全体として透明な範囲を、弁別視および自由視を含めた眼球運動領域９２
である視野角θが２０度まで確保し、より広い視野が確保しやすい設計となっている。
【００７４】
なお、この眼鏡レンズ１００ａにおいても、第１の実施形態と同様に、調光層３０を物
体側の面に設けることが可能であり、調光層３０の色の変化により眼鏡レンズ１００ａの
全体（全面積）の遮光率を制御することが可能である。また、調光層３０は眼鏡レンズ１
００ａの一部に設けたり、変色率が異なる領域を設けたりすることも可能であり、調光層
３０とハードコート層４３を染色した遮光層２０との組み合わせにより様々なデザインの
眼鏡レンズ１００ａを提供できる。また、以下に説明する他の眼鏡レンズの実施形態にお
いても上記と同様に調光層３０を組み合わせることが可能である。
【００７５】
３．  第３の実施形態
図１９に、第３の実施形態に係る眼鏡レンズ１００ｂの遮光層２０の遮光率の分布（変
化）を示している。この眼鏡レンズ１００ｂも、アイポイント１１を含む高透光性領域１
２と、高透光性領域１２の全周を囲むように設けられた低透光性領域１４とを含み、低透
光性領域１４は、高透光性領域１２よりも遮光率が高く、周辺１５に向かって遮光率が変
化する領域（グラディエント領域）１６を含む。ただし、この眼鏡レンズ１００ｂにおい
ては、低透光性領域１４のグラディエント領域１６は、高透光性領域１２との境界（全周
）１３の近傍１７で周辺１５に向かって徐々に、しかしながら比較的に急激に色が濃くな
る領域１６ａと、その領域１６ａの外側で周辺１５に向かって徐々に色が薄くなる領域１
６ｂとを含む。このため、この眼鏡レンズ１００ｂの低透光性領域１４は、周辺１５に向
かって一端遮光率が増加するグラディエント領域１６ａと、その外側で遮光率が周辺１５
に向かって減少するグラディエント領域１６ｂとを含む。たとえば、グラディエント領域
１６ａでは、視野角θが１０度から２０度の範囲で遮光率が０％から４０％程度まで高く
なり、グラディエント領域１６ｂでは、視野角θが２０度から４０度の範囲で遮光率が４
０％から１０％まで減少する。
【００７６】
この眼鏡レンズ１００ｂにおいては、内側に設けられた、周辺に向かって一端遮光率が
増加するグラディエント領域１６ａにより、高透光性領域１２と低透光性領域１４との間
の境界１３をぼかして、高透光性領域１２と低透光性領域１４との間に明確な境界が生じ
ることを防止できる。また、グラディエント領域１６ａにより、高透光性領域１２に近い
部分に一端レンズの色の濃度（濃淡）が濃くなる部分をデザインできるので、目元にイン
パクトを持たせたオリジナリティ溢れるデザインの眼鏡レンズ１００ｂを提供できる。
【００７７】
さらに、グラディエント領域１６ｂは、上記の実施形態とは逆に周辺１５に向かって遮
光率が徐々に低くなる。図７に示すように、減能グレア光（障害グレア光）５２であって
も、グレア角φが小さい方が視効率（見えやすさ）は低下し、グレア角φが大きい方がグ
レア光の影響は小さくなる。したがって、減能グレア光５２をカットするという点では視
野角θが小さい方が遮光率は大きく、視野角θが大きくなるにつれて遮光率は低くなって
もよい。図７に示すように、減能グレア光５２の範囲では、視効率はグレア角φに比例し
て向上する。したがって、グラディエント領域１６ｂにおいては、グレアカットのための
遮光率は視野角θに比例して減少するものであってもよい。このため、図１９に示す眼鏡
レンズ１００ｂのように、低透光性領域１４は周辺１５に向かってレンズの色の濃度（濃
淡）が薄くなる領域１６ｂを含んでいてもよく、装用者のコントラスト感度を確保するこ
とができる。また、上記の実施形態と異なる方向の色の変化は同じドーナッツ状の色の変
化であっても新たなデザインとして認識されうるので好ましい。
【００７８】
４．  第４の実施形態
図２０に、第４の実施形態に係る眼鏡レンズ１００ｃの遮光層２０の遮光率の分布（変
化）を示している。この眼鏡レンズ１００ｃも、アイポイント１１を含む高透光性領域１
２と、高透光性領域１２の全周を囲むように設けられた低透光性領域１４とを含み、低透
光性領域１４は、高透光性領域１２よりも遮光率が高く、周辺１５に向かって遮光率が変
化する領域（グラディエント領域）１６を含む。本例のグラディエント領域１６は、遮光
層２０の色の濃度（濃淡）が多段階に変わる領域を含む。具体的には、グラディエント領
域１６は、３段階に変化しており、視野角θが１０度から２０度の範囲で遮光率が１０％
の領域１６ｃと、視野角θが２０度から３０度の範囲で遮光率が２０％の領域１６ｄと、
視野角θが３０度から４０度の範囲で遮光率が３０％の領域１６ｅとを含む。
【００７９】
多段階に遮光率が変化するグラディエント領域１６の各領域１６ｃ〜１６ｅの境界部分
は、遮光率が階段状に変わって濃度の変化がエッジとして眼鏡レンズ１００ｃのデザイン
に現れるものであってもよい。また、グラディエント領域１６の各領域１６ｃ〜１６ｅの
境界部分の遮光率が徐々に変わって、眼鏡レンズ１００ｃのデザインにエッジが見えない
ものであってもよい。本例の眼鏡レンズ１００ｃは、多段階に遮光率が変化する各領域１
６ｃ〜１６ｅの境界部分は遮光率が徐々に増加するようにデザインしている。
【００８０】
この眼鏡レンズ１００ｃにおいては、内側の遮光率が低い領域１６ｃが自由視を優先し
た中間領域９２に対応し、その外側の領域１６ｄが障害グレア光５２の阻止を優先しなが
ら眼球１０１の視野感度を有効に生かそうとする領域９７に対応し、さらにその外側の領
域１６ｅは障害グレア光５２のカットを優先したグレアカット領域９３に対応する。
【００８１】
これらの多段に遮光率が変化するグラディエント領域１６は、染色によりレンズの色の
濃淡を変化させるだけでなく、色そのものを変えたり、反射率を変化させることにより製
造可能である。したがって、多段の領域ごとに色合いの変化を設けたりすることが可能で
あり、さらにデザインの選択範囲が広がり、よりファッション性を高めたり、装飾品とし
て価値の高い眼鏡レンズ１００ｃを提供できる。
【００８２】
５．  第５の実施形態
図２１に、第５の実施形態に係る眼鏡レンズ１００ｄの遮光層２０の遮光率の分布（変
化）を示している。この眼鏡レンズ１００ｄも、アイポイント１１を含む高透光性領域１
２と、高透光性領域１２の全周を囲むように設けられた低透光性領域１４とを含み、低透
光性領域１４は、高透光性領域１２よりも遮光率が高く、周辺１５に向かって遮光率が変
化する領域（グラディエント領域）１６を含む。本例のグラディエント領域１６も多段階
に遮光率が変化する領域１６ｆ〜１６ｈを含む。ただし、本例の多段階に遮光率が変化す
る領域１６ｆ〜１６ｈは周辺１５に向かって多段階に薄くなっている。すなわち、内側の
領域１６ｆは、視野角θが１０度から２０度の範囲で遮光率が３０％であり、その外側の
領域１６ｇは視野角θが２０度から３０度の範囲で遮光率が２０％であり、さらのその外
側の領域１６ｈは視野角θが３０度から４０度の範囲で遮光率が１０％である。これらの
領域１６ｆ〜１６ｈの境界は遮光率が急激に変化してもよく、徐々に変化してもよい。最
も内側の領域１６ｆと高透光性領域１２との境界部分は、遮光率の差が大きくなるので、
周辺１５に向けて急激ではあっても徐々に遮光率が増加するようにデザインすることが好
ましい。
【００８３】
この眼鏡レンズ１００ｄは、第３の実施形態の眼鏡レンズ１００ｂと同様に、目元にイ
ンパクトを持たせることができる。それとともに、減能グレア光５２による視効率が最も
低下しやすい視野角θの小さい領域のグレア光を効果的にカットでき、コントラスト感度
を上げることができる。さらに、色合いの変化も楽しめる色鮮やかな眼鏡レンズ１００ｄ
を提供できる。
【００８４】
６．  第６の実施形態
図２２に、第６の実施形態に係る眼鏡レンズ１００ｅの遮光層２０の遮光率の分布（変
化）、すなわち、裏面１０ｂのハードコート層４３の染色濃度の分布と、表面１０ａの反
射防止層４４の近赤外光（波長７６０〜１３００ｎｍ）の波長選択性とを示している。こ
の眼鏡レンズ１００ｅの遮光層２０は、アイポイント１１を含む高透光性領域１２と、低
透光性領域１４とを含み、さらに低透光性領域１４は、周辺１５に向かって染色濃度（濃
淡）を徐々に増加させたグラディエント領域１６を含む。また、反射防止層４４の低透光
性領域１４に相当する部分は、近赤外光を選択的に透過しない設計となっており、低透光
性領域１４の近赤外光の遮光率はほぼ１００％になっている。
【００８５】
網膜疾患、脈絡膜疾患などのある装用者は光刺激に敏感であり痛みを感じ、炎症性疾患
を併発していることも多い。したがって、血管拡張に繋がるような刺激は避けることが望
ましく、近赤外光が眼球１０１に入ることを抑制することが望ましい。一方、近赤外光を
眼鏡レンズの全面で遮蔽することは、反射防止層４４の設計によっては可視光の長波長側
の感度を低下させる可能性があり、日常生活に支障をきたす恐れがある。この眼鏡レンズ
１００ｅにおいては、低透光性領域１４において選択的に近赤外光を遮蔽することにより
、減能グレア光５２のように定常的に眼球１０１に入る可能性がある光源１０３からの近
赤外光を遮蔽できるとともに、視軸１０５の色感度が低下することを抑制できる。さらに
、減能グレア光５２をカットすることにより弁別能力の向上を図り、作業能率の低下を抑
制できる。
【００８６】
反射防止層４４の波長選択性は、反射防止層４４が無機多層膜であれば、近赤外光の透
過率が他の可視光よりも低くなるように各層の厚みを設定することにより実現できる。ま
た、反射防止層４４により長波長側の波長選択性が可視光にほとんど影響なく設定できる
場合は、眼鏡レンズ１００ｅの全面にわたり近赤外光の遮光率を高くすることは有効であ
る。さらに、反射防止層４４としてではなく、近赤外光を反射するための層を新たに成膜
してもよい。
【００８７】
さらに、網膜疾患、脈絡膜疾患などのある装用者においては可視光も光刺激となる場合
がある。したがって、可視光（たとえば４６０〜６００ｎｍ）の強度も半減できることが
望ましい。このため、ハードコート層４３の染色濃度を比較的高くし、遮光率がグレアカ
ット領域９３で５０％程度に達するようにすることが有効である。たとえば、低透光性領
域１４のグラディエント領域１６は、視野角θが１０度から２０度程度の中間領域９６に
おいては、周辺１５に向かって徐々に、しかしながら比較的急激に色が濃くなる領域１６
ｉと、その領域１６ｉの外側、すなわち視野角θが２０度から４０度のグレアカット領域
９３においては、周辺１５に向かって徐々に色が濃くなる領域１６ｊとを含む。本例にお
いては、グラディエント領域１６ｉでは、視野角θが１０度から２０度の範囲で遮光率が
０％から５０％程度まで高くなり、グラディエント領域１６ｊでは、視野角θが２０度か
ら４０度の範囲で遮光率が５０％から６０％程度まで高くなっている。さらに、調光層３
０との組み合わせにより、アイポイント１１の周辺の高透光性領域１２においても、屋外
などの光刺激の強い環境では遮光率が５０％以上になるように設計することが望ましい。
【００８８】
近赤外光が眼球１０１に入ることを抑制することは、健常者においても眼球１０１の障
害の発生を避けるために有効である。したがって、この眼鏡レンズ１００ｅは上記のよう
な障害を有するユーザーのみならず一般のユーザーにとっても装着することは有効である
。さらに、この眼鏡レンズ１００ｅはグラディエント領域１６を備え、ファッション性に
富んだ眼鏡レンズとして提供できる。すなわち、この眼鏡レンズ１００ｅはユニバーサル
デザイン化された眼鏡レンズであり、治療用のみならず、ファッションの一つのアイテム
として装着することができる。このため、上記障害を抱える装用者に対しても、他者に明
らかに治療用であるとの認識を抱かせることなく、また、一般のユーザーも抵抗感を抱く
ことなく気軽に使用することができる。
【００８９】
７．  第７の実施形態
図２３に、第７の実施形態に係る眼鏡レンズ１００ｆの遮光層２０の遮光率の分布（変
化）、すなわち、裏面１０ｂのハードコート層４３の染色濃度の分布と、表面１０ａの反
射防止層４４の近紫外光（波長３１０〜４００ｎｍ）の波長選択性とを示している。この
眼鏡レンズ１００ｆの遮光層２０は、アイポイント１１を含む高透光性領域１２と、高透
光性領域１２の周囲に設けられた低透光性領域１４とを含み、さらに低透光性領域１４は
、周辺１５に向かって染色濃度（濃淡）を徐々に増加させたグラディエント領域１６を含
む。また、反射防止層４４の低透光性領域１４に相当する部分は、近紫外光を選択的に透
過しない設計となっており、低透光性領域１４の近紫外光の遮光率はほぼ１００％になっ
ている。
【００９０】
角膜障害、白内障、緑内障などの疾患のある装用者は眼球（水晶体）などの眼組織にお
いて生ずる散乱光により網膜像のコントラスト低下が著しい。したがって、散乱光になり
易い短波長側の近紫外光が眼球１０１に入ることを抑制することが望ましい。一方、近紫
外光を眼鏡レンズの全面で遮蔽することは、反射防止層４４の設計によっては可視光の短
波長側の感度を低下させる可能性があり、日常生活に支障をきたす恐れがある。この眼鏡
レンズ１００ｆにおいては、低透光性領域１４において選択的に近紫外光を遮蔽すること
により、減能グレア光５２のように定常的に眼球１０１に入る可能性がある光源１０３か
らの近紫外光を遮蔽できとともに、視軸１０５の色感度が低下することを抑制できる。さ
らに、減能グレア光５２をカットすることにより弁別能力の向上を図り、作業能率の低下
を抑制できる。
【００９１】
反射防止層４４の波長選択性は、上記の例と同様に反射防止層４４が無機多層膜であれ
ば、近紫外光の透過率が他の可視光よりも低くなるように各層の厚みを設定することによ
り実現できる。また、反射防止層４４により短波長側の波長選択性が可視光にほとんど影
響なく設定できる場合は、眼鏡レンズ１００ｆの全面にわたり近紫外光の遮光率を高くす
ることは有効である。さらに、反射防止層４４としてではなく、近紫外光を反射するため
の層を新たに成膜してもよい。
【００９２】
さらに、角膜障害、白内障、緑内障などの疾患のある装用者においては可視光も散乱光
となりコントラスト低下につながる。したがって、上記の例と同様に可視光（たとえば４
６０〜６００ｎｍ）の強度も半減できることが望ましい。近紫外光が眼球１０１に入るこ
とを抑制することは、近赤外光と同様に健常者においても眼球１０１の障害の発生を避け
るために有効である。したがって、この眼鏡レンズ１００ｆも上記のような障害を有する
ユーザーのみならず一般のユーザーにとっても装着することは有効である。さらに、近紫
外光を遮断でき、可視光も光強度が強い状況では減光できる眼鏡レンズ１００ｆは多種多
様なユーザーにおいて有効である。そのような眼鏡レンズを、本発明においてはグラディ
エント領域１６を備え、ファッション性に富んだ眼鏡レンズ１００ｆとして提供できる。
したがって、治療用のみならず、ファッションの一つのアイテムとして様々なユーザーが
、抵抗感を抱くことなく気軽に使用できる。なお、上記ファッション性を備え、かつ、近
紫外光および近赤外光の両方を遮断できる眼鏡レンズも有効である。
【００９３】
８．  第８の実施形態
図２４に、第８の実施形態に係る眼鏡レンズ１００ｇを、物体側から見た正面図で示し
ている。この眼鏡レンズ１００ｇは、累進屈折力レンズであり、比較的遠くを見るための
遠用領域２４２ｆと、比較的近くを見るための近用領域２４２ｎと、遠用領域２４２ｆと
近用領域２４２ｎとの間にあって屈折力が連続的に変化する領域２４２ｍとを有する。そ
して、眼鏡レンズ１００ｇは、遠用領域２４２ｆの中心をアイポイント１１として高透光
性領域１２が設けられており、高透光性領域１２の下側が領域２４２ｍを介して近用領域
２４２ｎの中心１１ａを含む範囲まで広がっている。さらに、眼鏡レンズ１００ｇは、高
透光性領域１２の周囲を囲うように設けられた低透光性領域１４を含み、低透光性領域１
４は、眼鏡レンズ１００ｇの周辺１５に向かって染色濃度（濃淡）を徐々に増加させたグ
ラディエント領域１６を含む。高透光性領域１２の形状は本例に限定されることなく、遠
用領域２４２ｆの中心であるアイポイント１１を中心とする同心状、たとえば同心円状あ
るいは楕円状であってもよく、累進屈折力レンズであることが目立ちにくい、ドーナッツ
状の模様を含むデザインの眼鏡レンズとすることも可能である。
【００９４】
このように、本発明は累進屈折力レンズにも適用できる。特に、遠用領域２４２ｆを使
用する際は、太陽光や夜間照明などが障害グレア光５２となりやすいので、この眼鏡レン
ズ１００ｇにおいてはそのような障害グレア光５２の影響を抑制でき、昼夜の弁別能力を
向上できる。また、累進屈折力レンズの遠用中心（アイポイント）１１を中心として周囲
に向かってレンズの色や反射率が変化する眼鏡レンズは新しいデザインであり、ファッシ
ョン性に富んだ眼鏡レンズ１００ｇを提供できる。
【００９５】
なお、上記においては１対の眼鏡レンズを備えた眼鏡に基づき本発明を説明しているが
、本発明は左右一組の二眼形の眼鏡レンズだけに限定されず、視野が広い一眼形や、密閉
性の高いゴーグル形などの様々なタイプのレンズにも適用できる。また、視力矯正能力を
有しないサングラスやゴーグルにも適用可能であり、これらは本願の請求の範囲に含まれ
る。さらに、眼鏡レンズ１０を装着する眼鏡フレーム９は、縁無しのフレームだけでなく
縁有りのフレームであってもよい。
【符号の説明】
【００９６】
１  眼鏡、  ９  眼鏡フレーム、  １０  眼鏡レンズ、  １１  アイポイント
１２  高透光性領域、  １４  低透光性領域、  １６  グラディエント領域
２０  遮光層、  ３０  調光層
２４２ｆ  遠用領域、  ２４２ｎ  近用領域、  ２４２ｍ  中間領域
【図４】
0005483984.tif 000002
【図６】
0005483984.tif 000003
【図７】
0005483984.tif 000004
【図８】
0005483984.tif 000005
【図９】
0005483984.tif 000006
【図１０】
0005483984.tif 000007
【図１１】
0005483984.tif 000008
【図１２】
0005483984.tif 000009
【図１３】
0005483984.tif 000010
【図１４】
0005483984.tif 000011
【図１５】
0005483984.tif 000012
【図１６】
0005483984.tif 000013
【図１７】
0005483984.tif 000014
【図１９】
0005483984.tif 000015
【図２０】
0005483984.tif 000016
【図２１】
0005483984.tif 000017
【図２２】
0005483984.tif 000018
【図２３】
0005483984.tif 000019
【図１】
0005483984.tif 000020
【図２】
0005483984.tif 000021
【図３】
0005483984.tif 000022
【図５】
0005483984.tif 000023
【図１８】
0005483984.tif 000024
【図２４】
0005483984.tif 000025